(57)【要約】      （修正有）【課題】下ろくろの回転位相によらず、中棒の下部に下ろくろを確実に位置決め可能な傘を提供する。【解決手段】傘は、長尺棒状の中棒２と、中棒２の上部に設けられた上ろくろと、上ろくろから放射状に側方に伸びる複数の親骨４と、上ろくろよりも下方の中棒２に、上下方向に移動自在に設けられた下ろくろと、下ろくろから放射状に側方に伸びると共に、親骨４の中途側に揺動自在に固定された複数の子骨と、中棒２の下部に下ろくろを上下方向に移動を規制した状態で固定するはじきと、を備えており、上ろくろが、中棒２に対して、上下方向に移動を規制された状態で、中棒２の軸心回りに回転自在に取り付けられている。上ろくろは、中棒２の上部に上下移動と回転とを規制された状態で固定されるベース筒体１２と、ベース筒体１２に外側から回転を許容した状態で嵌合（遊嵌）されると共に、外周側に親骨４の一端側が揺動自在に取り付けられた回転体１３とを有している。【選択図】図３
0003229170.tif 000002
【実用新案登録請求の範囲】
【請求項１】
長尺棒状の中棒と、前記中棒の上部に設けられた上ろくろと、前記上ろくろから放射状に側方に伸びる複数の親骨と、前記上ろくろよりも下方の中棒に、上下方向に移動自在に設けられた下ろくろと、前記下ろくろから放射状に側方に伸びると共に、前記親骨の中途側に揺動自在に固定された複数の子骨と、前記中棒の下部に下ろくろを上下方向に移動を規制した状態で固定するはじきと、を備えた傘であって、
前記上ろくろが、前記中棒に対して、上下方向に移動を規制された状態で、前記中棒の軸心回りに回転自在に取り付けられていることを特徴とする傘。
【請求項２】
前記上ろくろは、
前記中棒の上部に回転を規制された状態で嵌合されるベース筒体と、前記ベース筒体に外側から嵌合されると共に外周側に前記親骨が上下方向に揺動自在に取り付けられる回転体と、を有しており、
前記ベース筒体の外周面には、中棒側に向かって窪んだ環状凹部が形成されており、
前記回転体は、前記ベース筒体の環状凹部に回転を許容した状態で嵌合されることで、上下方向に移動を規制された状態で回転自在とされている
ことを特徴とする請求項１に記載の傘。
【請求項３】
前記はじきは、前記中棒に面する側から下ろくろに対して噛み合って、下ろくろの回転を規制する爪を備えており、
前記下ろくろは、前記はじきの爪と係合することで下ろくろの上方移動を規制する段差部を、前記中棒に面する側に備えており、
前記段差部は、前記中棒に対して下ろくろがその回転位相によらず前記はじきの爪が係合可能なように、前記中棒の周りを囲むように全周に亘って形成されている
ことを特徴とする請求項１または２に記載の傘。
【請求項４】
前記上ろくろが中棒の上部に位置する場合は、前記中棒に対する上ろくろの回転が許容され、
前記上ろくろが中棒の下部に位置する場合は、前記中棒に対する上ろくろの回転が規制されることを特徴とする請求項１〜３のいずれかに記載の傘。
【請求項５】
前記上ろくろは、前記親骨が中棒に沿うように折り畳まれた場合に、折り畳まれた親骨が中棒の回りを回転しないように、前記折り畳まれた親骨と係合する回転規制部を備えていることを特徴とする請求項１〜４のいずれかに記載の傘。
【考案の詳細な説明】
【技術分野】
【０００１】
本考案は、傘布を中棒の軸心回りに回転させることで、傘布を支持する傘骨や傘布自体の、強風下における破損を抑制することが可能な傘に関するものである。
【背景技術】
【０００２】
従来から、雨を防ぐための傘布は、水を通さないだけでなく、空気も通しにくい構造となっており、強風により傘布に大きな力が加わると、傘布を支持する傘骨や傘布自体が変形や破裂などの損傷を受けやすいことが知られている。そのため、近年は、強風を受けても変形を起こしにくい素材で傘骨を形成したり、強風を受け流すことができる構造を骨組みに採用したりした耐風傘（強風下での破損を防止可能な傘をいう、この明細書において同じ）がさまざま開発されている。このような耐風傘の一つとして、強風を受けた場合に、傘布が、上ろくろ、下ろくろ、及び傘骨ごと、中棒の軸心に対して回転することで、過大な力が作用することを抑制して損傷を回避する傘が知られている。このような傘としては、次の特許文献１〜特許文献６に示すようなものが知られている。
【０００３】
すなわち、特許文献１には、支柱部に対し傘骨を介して帆布を開閉可能に取り付けられて成るパラソルであって、帆布には、その一部を開放させるための開閉機構を備えたパラソルが開示されている。特許文献１のパラソルは、支柱部に対して帆布と共に傘骨が回転するよう支柱部と傘骨との間に回転機構を介装した構造となっている。そして、この回転機構としては、ラジアル軸受を使ったものが例示されている。
【０００４】
特許文献２には、中棒１と、中棒の上端部に設けた上ロクロ２と、上ロクロの下方で中棒に摺動自在に外挿された下ロクロ３と、基端部を上ロクロに枢結された親骨４と、両端部をそれぞれ下ロクロと親骨に枢結された支骨５とを備え、中棒に沿って上下に摺動する下ロクロ３により、最上位の開傘位置Ｕと、最下位の閉傘位置Ｄを規定する長傘の洋傘が開示されている。特許文献２の洋傘に設けられる中棒１は、開傘位置と閉傘位置の間Ｍに位置して上下に分割された上側パイプ１ａと下側パイプ１ｂを構成している。そして、上側パイプと下側パイプの間には、同軸状に連結されると共に、相互に軸線回りに回転自在に連結する回転連結手段７が設けられている。
【０００５】
特許文献３には、柄杆と、この柄杆の一側に取り付けられた一側ろくろ部と、この一側ろくろ部に放射状に配設された親骨と、これら各親骨の外面に設けられた布地と、前記柄杆の先端側に設けられた石突きと、前記柄杆の基端側に設けられた握り部とを有してなる傘であって、前記各親骨が前記握り部に対して相対回転可能に取り付けられている傘が開示されている。
【０００６】
特許文献４には、上下２端１０ａ，１０ｂを有するように上下方向に直線状に延びている中棒１０と、前記中棒１０の上端１０ａに滑り部材を介して回転可能に設けられている上ろくろ２０と、前記中棒１０に摺動可能に外嵌している下ろくろ３０と、前記上ろくろ２０と前記下ろくろ３０とに枢止されていて、前記下ろくろ３０の中棒１０に沿った上下摺動によって開閉される骨組み４０と、前記骨組み４０に載置されていて、該骨組み４０の開閉によって展開されたり収縮されたりする傘地５０とからなり、前記骨組み４０や前記傘地５０に力がかかると、前記上ろくろ２０、前記下ろくろ３０、前記骨組み４０及び前記傘地５０が共に前記中棒１０の軸線Ｌを中心として回転可能としており、前記中棒１０は、少なくとも上端部１１が前記上端１０ａにおいて上向きに開口した中空状に形成され、前記上ろくろ２０の下端面２５に、中心凹孔２５２が開設され、前記滑り部材は、滑り座６２１と滑り子６２２とからなり、前記滑り座６２１は、前記中棒１０の上端部１１内に固着され、且つ、その内壁６２１ａに、環状であって中孔６２１ｃを有する鍔６２１ｂが径方向に突出されており、前記滑り子６２２は、小径の上部６２２ａと大径の下部６２２ｂとその間に形成されている階段部６２２ｃとからなり、前記上部６２２ａは前記中心凹孔２５２に挿着し、前記下部６２２ｂが前記滑り座６２１における鍔６２１ｂの下の部分にあって該階段部６２２ｃによって前記中孔６２１ｃを回転可能に引っ掛けられている傘が開示されている。
【０００７】
また、この特許文献４には、上下２端１０ａ，１０ｂを有するように上下方向に直線状に延びている中棒１０と、前記中棒１０の上端１０ａに回転可能に設けられている上ろくろ２０と、前記中棒１０に摺動可能に外嵌している下ろくろ３０と、前記上ろくろ２０と前記下ろくろ３０とに枢止されていて、前記下ろくろ３０の中棒１０に沿った上下摺動によって開閉される骨組み４０と、前記骨組み４０に載置されていて、該骨組み４０の開閉によって展開されたり収縮されたりする傘地５０とからなり、前記骨組み４０や前記傘地５０に力がかかると、前記上ろくろ２０、前記下ろくろ３０、前記骨組み４０及び前記傘地５０が共に前記中棒１０の軸線Ｌを中心として回転可能としており、前記中棒１０は、少なくとも上端部１１が上端において上向きに開口した中空状に形成され、前記上ろくろ２０の下端面２５に、孔口２６ａを小径とした中心凹孔２６が形成され、前記滑り部材は、受け座６４１と滑り子６４２とを備え、前記受け座６４１は、中孔６４１ａを有するものであって前記中棒１０の上端部１１の内周面１１ａに固着され、前記滑り子６４２は、大径の上部６４２ａと小径の下部６４２ｂとその間に形成されている階段部６４２ｃとからなり、前記下部６４２ｂが前記受け座６４１の中孔６４１ａ内に挿着され、前記上部６４２ａが該中心凹孔２６内にあって前記階段部６４２ｃによって前記孔口２６ａを回転可能に引っ掛けている傘も開示されている。
【０００８】
さらに、特許文献４には、上下２端１０ａ，１０ｂを有するように上下方向に直線状に延びている中棒１０と、前記中棒１０の上端１０ａに回転可能に設けられている上ろくろ２０と、前記中棒１０に摺動可能に外嵌している下ろくろ３０と、前記上ろくろ２０と前記下ろくろ３０とに枢止されていて、前記下ろくろ３０の中棒１０に沿った上下摺動によって開閉される骨組み４０と、前記骨組み４０に載置されていて、該骨組み４０の開閉によって展開されたり収縮されたりする傘地５０とからなり、前記骨組み４０や前記傘地５０に力がかかると、前記上ろくろ２０、前記下ろくろ３０、前記骨組み４０及び前記傘地５０が共に前記中棒１０の軸線Ｌを中心として回転可能としており、前記中棒１０は、少なくとも上端部１１が上端において上向きに開口した中空状に形成され、前記上ろくろ２０の上端面に大径の中心取付孔２８が、下端面２５に前記中心取付孔２８と連通する小径の貫通孔２９がそれぞれ開設され、前記大径の中心取付孔２８と該小径の貫通孔２９との間に階段部２８ａが形成され、前記滑り部材は、受け座６５１と滑り子６５２とからなり、前記受け座６５１は、中心凹孔６５１ａを有するものであって前記中棒１０の上端部１１に固着され、前記滑り子６５２は、大径の上部６５２ａと小径の下部６５２ｂとその間に形成されている階段部６５２ｃとからなり、前記下部６５２ｂが前記貫通孔２９を通過して前記受け座６５１の中心凹孔６５１ａ内に挿着され、前記上部６５２ａが前記中心取付孔２８内にあってその階段部６５２ｃによって前記上ろくろ２０の階段部２８ａを回転可能に引っ掛けられている傘も開示されている。
【０００９】
さらにまた、特許文献４には、上下２端１０ａ，１０ｂを有するように上下方向に直線状に延びている中棒１０と、前記中棒１０の上端１０ａに滑り部材を介して回転可能に設けられている上ろくろ２０と、前記中棒１０に摺動可能に外嵌している下ろくろ３０と、前記上ろくろ２０と前記下ろくろ３０とに枢止されていて、前記下ろくろ３０の中棒１０に沿った上下摺動によって開閉される骨組み４０と、前記骨組み４０に載置されていて、該骨組み４０の開閉によって展開されたり収縮されたりする傘地５０とからなり、前記骨組み４０や前記傘地５０に力がかかると、前記上ろくろ２０、前記下ろくろ３０、前記骨組み４０及び前記傘地５０が共に前記中棒１０の軸線Ｌを中心として回転可能としており、前記中棒１０は、少なくとも上端部１１が前記上端１０ａにおいて上向きに開口した中空状に形成されており、該上端部１１が上端１０ａから下向きに大径部１１１と小径部１１２とその間に形成されている階段部１１３とからなり、前記大径部１１１の周面に、その軸心を中心として互いに対称に位置する一対の通孔１１４が設けられ、前記滑り部材は、前記大径部１１１の外側から前記一対の通孔１１４をそれぞれ通して前記大径部１１１の内に突出して前記通孔１１４に受けられている一対のボール６８１，６８１と、これら一対のボール６８１，６８１の間に両ボール６８１，６８１を押圧して外向きに付勢力を与えるように設けられている弾性部材６８２と、滑り子６８３とからなり、前記滑り子６８３は、中空の筒状に形成されており、その下部６８３Ｂが前記中棒１０の大径部１１１を回転可能に外嵌している大径部６８３ａと前記中棒１０の小径部１１２を回転可能に外嵌している小径部６８３ｂとその間に形成されて前記中棒１０の階段部１１３に回転可能に引っかけられている階段部６８３ｃとからなり、その上部６８３Ａが前記上ろくろ２０の下部２２に嵌着され、前記下部６８３Ｂに設けた環状凹溝８３１ｃが、前記ボール６８１，６８１の前記大径部１１１から突出している部分と弾性的に接触しながらそれらを受けている傘も開示されている。
【００１０】
特許文献５には、中棒と、上ロクロと、下ロクロと、開傘バネと、緩衝カバーと、親骨とからなる、位置決め構造を備えた回転傘であって、前記中棒は、中空の主中棒と副中棒が差込接続されてなり、前記副中棒は、長さが前記主中棒よりも短く、前記副中棒下半部の外径は主中棒の内径よりも小さく、前記副中棒下半部が前記主中棒上端から差込接続された後、前記主中棒と前記副中棒が外れることがないように、前記主中棒頂端に近い位置、及び差込まれた前記副中棒下半部には、プレス加工でぴったり合うよう形成された内側凹環状溝がそれぞれ設けられ、前記主中棒底端には、手元が固定されるとともに、前記主中棒における前記手元に近い位置には、はじきが設けられ、前記上ロクロは、前記副中棒における頂端に近い位置に固定され、複数の前記親骨は、一端が前記上ロクロと枢接されるとともに、前記親骨には傘布面が設けられ、前記下ロクロは、前記中棒に被せられ、更に、前記下ロクロは、主ロクロと、副ロクロと、カバーとからなり、前記主ロクロは、底端の全周面に複数の切欠溝が設けられるとともに、前記切欠溝上方に位置する前記主ロクロの周面には、係止ブロックが設けられ、前記副ロクロは、前記主ロクロ上方に設けられ、前記カバーは、底端内面に凸環が設けられ、上端に近い位置に係止孔が設けられ、且つ前記カバーは前記主ロクロ下方から前記主ロクロ下半部に被せられるとともに、前記係止孔と前記主ロクロの係止ブロックが係止され、更に前記主ロクロ底端の切欠溝に被せられ、更に、前記回転傘には、一端が前記副ロクロと枢接され且つ他端が前記親骨と枢接された複数の受骨、及び、一端が前記主ロクロと枢接され且つ他端が前記受骨と枢接された複数の補助骨が設けられ、前記開傘バネは、前記下ロクロの前記主ロクロと前記副ロクロの間に突っ張った状態で設けられるとともに、前記開傘バネ底部は前記主ロクロ内に設けられ、前記開傘バネ頂端は前記副ロクロ底面と当接され、前記緩衝カバーは、前記中棒の前記副中棒に被せられるとともに、前記緩衝カバー頂端は前記上ロクロ底面と当接されることを特徴とする、位置決め構造を備えた回転傘が開示されている。
【００１１】
特許文献６には、軸方向に延伸する軸線Ｙを具える中空の中棒と、上ろくろ本体と、係合部材と、可動上ろくろとを含んでなり、該中棒の上端に回動自在に設ける上ろくろと、下ろくろ本体と、可動下ろくろと、一方の側に設けた索輪と該索輪に当接し、かつ該上ろくろに連結する引線を具える滑車座とを含んでなり、該中棒に回動自在に設ける下ろくろと、該可動上ろくろと該可動下ろくろとに連結する複数の傘骨と、該傘骨の外面を覆う傘布とを含んでなる傘布支持部と、を含む自動開閉傘であって、該上ろくろ本体は、中空の筒状を呈し、中棒を回動自在に挿設するとともに、上下両端には、それぞれ第１枢着部と第１係合部とを有し、該係合部材は、該上ろくろ本体に取付けられ、かつ上下両端に第２枢着部と突起部とをそれぞれ有し、該第２枢着部は該第１枢着部に対応し、該突起部と該第１枢着部間には第１嵌合部を有し、該可動上ろくろを該中棒に対して回動自在に設けられ、該滑車座は中空の筒状を呈し、嵌挿部を具え、かつ両端には、該１係合部に係合する第２係合部と、第１連結部とを有し、該下ろくろ本体は該滑車座に接続し、かつ該第１連結部に連結する第２連結部を有し、該嵌挿部に回動自在に挿設して該可動下ろくろが該中棒に対して回動自在に設けられ、傘を開いた状態時、該上ろくろ本体と該下ろくろ本体とが、該第１係合部に該第２係合部が係合して位置決めされて任意な回転を防ぎ、該傘布支持部が該可動上ろくろと該可動下ろくろとに連動し、該可動上ろくろと該可動下ろくろとが同期して該中棒に対して回転するように構成する、傘布を支持する部分が回動する自動開閉傘が開示されている。
【先行技術文献】
【特許文献】
【００１２】
【特許文献１】実用新案登録第３１３００８６号公報
【特許文献２】特開２００３−１５３７１７号公報
【特許文献３】特開平９−７０３０７号公報
【特許文献４】特許第３８２８０９２号公報
【特許文献５】実用新案登録第３１９７９５９号公報
【特許文献６】実用新案登録第３２００４３４号公報
【考案の概要】
【考案が解決しようとする課題】
【００１３】
ところで、傘には、閉じた状態を保持できるように、下ろくろを中棒の下部に位置決めするはじきを備えたものが存在する。このはじきには、中棒の軸心に沿うように上下方向に向かって下ろくろにスリット溝を切っておき、このスリット溝にはじきの爪を差し入れることで、下ろくろを中棒の下部に位置決めする構造が一般に採用される。
ところが、上述した特許文献１〜特許文献６の傘は、強風を受けた場合に、いずれも傘布が、上ろくろ、下ろくろ、及び傘骨ごと、中棒の軸心に対して回転する構造を備えている。このように、下ろくろが中棒の軸心に対して回転自在となる構造では、下ろくろの回転に伴ってスリット溝も中棒の軸心回りを自在に回転するため、はじきの爪の差し入れが可能な位置にスリット溝が来るように下ろくろが回転するとは限らず、下ろくろを中棒の下部に位置決めできなくなる場合がある。つまり、特許文献１〜特許文献６の傘は、中棒の軸心回りに下ろくろが回転しても位置決めが可能となる構造とはなっておらず、傘布の回転に確実に対応できているとは言えなかった。
【００１４】
本考案は、上述の問題に鑑みてなされたものであり、中棒に対して下ろくろがどのような回転位相をとっても、中棒の下部に下ろくろを位置決め可能となる傘を提供することを目的とする。
【課題を解決するための手段】
【００１５】
上記課題を解決するため、本考案の傘は以下の技術的手段を講じている。
即ち、本考案の傘は、長尺棒状の中棒と、前記中棒の上部に設けられた上ろくろと、前記上ろくろから放射状に側方に伸びる複数の親骨と、前記上ろくろよりも下方の中棒に、上下方向に移動自在に設けられた下ろくろと、前記下ろくろから放射状に側方に伸びると共に、前記親骨の中途側に揺動自在に固定された複数の子骨と、前記中棒の下部に下ろくろを上下方向に移動を規制した状態で固定するはじきと、を備えた傘であって、前記上ろくろが、前記中棒に対して、上下方向に移動を規制された状態で、前記中棒の軸心回りに回転自在に取り付けられていることを特徴とする。
【００１６】
なお、好ましくは、前記上ろくろは、前記中棒の上部に回転を規制された状態で嵌合されるベース筒体と、前記ベース筒体に外側から嵌合されると共に外周側に前記親骨が上下方向に揺動自在に取り付けられる回転体と、を有しており、前記ベース筒体の外周面には、中棒側に向かって窪んだ環状凹部が形成されており、前記回転体は、前記ベース筒体の環状凹部に回転を許容した状態で嵌合されることで、上下方向に移動を規制された状態で回転自在とされているとよい。
【００１７】
なお、好ましくは、前記はじきは、前記中棒に面する側から下ろくろに対して噛み合って、下ろくろの回転を規制する爪を備えており、前記下ろくろは、前記はじきの爪と係合することで下ろくろの上方移動を規制する段差部を、前記中棒に面する側に備えており、前記段差部は、前記中棒に対して下ろくろがその回転位相によらず前記はじきの爪が係合可能なように、前記中棒の周りを囲むように全周に亘って形成されているとよい。
【００１８】
なお、好ましくは、前記上ろくろが中棒の上部に位置する場合は、前記中棒に対する上ろくろの回転が許容され、前記上ろくろが中棒の下部に位置する場合は、前記中棒に対する上ろくろの回転が規制されるとよい。
なお、好ましくは、前記上ろくろは、前記親骨が中棒に沿うように折り畳まれた場合に、折り畳まれた親骨が中棒の回りを回転しないように、前記折り畳まれた親骨と係合する回転規制部を備えているとよい。
【考案の効果】
【００１９】
本考案の傘によれば、中棒に対して下ろくろがどのような回転位相をとっても、中棒の下部に下ろくろを位置決め可能となる。
【図面の簡単な説明】
【００２０】
【図１】開傘状態となっている本実施形態の傘の正面図である。
【図２】図１の開傘状態の傘を上下方向に沿って切断した場合の断面図である。
【図３】上ろくろの断面図である。
【図４】上ろくろの分解斜視図である。
【図５】下ろくろの断面図である。
【考案を実施するための形態】
【００２１】
［第１実施形態］
以下、本考案の傘１の実施形態を、図面に基づき詳しく説明する。
図１は、傘１を開いた状態（以降、開傘状態という）にある本実施形態の傘１を模式的に示したものである。
図１に示すように、開傘状態にある本実施形態の傘１は、上下方向に軸心を向けるようにして配備された中棒２に対して、水平方向に広がる傘布３及び傘布３を支持する親骨４などが、中棒２の軸心回りに回転自在となっている。このような傘布３が回転自在とされた構造を採用すれば、強風下でも傘布３が中棒２の軸心回りを回転し、傘骨５や傘布３に作用する風の力が弱まるため、強風による傘１の破損を回避することが可能となる。
【００２２】
例を挙げれば、図１に示すように傘１の側方から、白抜きの矢印で示すような風（強風）が吹き付けてきた場合、本考案の傘１では、黒塗りの矢印で示す方向（水平方向）に傘布３が回転して風により傘骨５に加わる力を受け流すことができ、強風などを受けても傘布３が曲がったり折れたりすることがなく、傘１の損傷を回避することが可能となっている。言い換えれば、本考案の傘１は、強風でも損傷を受け難い耐風性を備えた傘１（耐風傘１）ということができる。本考案の傘１においてこのような傘布３の回転が可能となるのは、親骨４を支持する上ろくろ６によるものである。
【００２３】
ただ、以降では、上ろくろ６の説明の前に、上ろくろ６を含む傘１の全体的な構成について説明する。
図２に示すように、本実施形態の傘１は、上下方向に軸心を向けるようにして配備された中棒２を有している。中棒２の上端には石突き７が設けられており、中棒２の下端には使用者が傘１をさす場合に把持する取手８が設けられている。中棒２における石突き７の下側には上ろくろ６が上下方向に移動を規制された状態で設けられており、上ろくろ６には側方に向かって略水平に伸びる親骨４の一端側（以降では、中棒２に近い側の端部を一端側という）が支持されている。この親骨４は、中棒２から放射状に伸びるように複数設けられており、いずれの親骨４も一端側が上ろくろ６に連結されている。また、中棒２における上ろくろ６の下側には、子骨９を支持する下ろくろ１０が設けられている。この下ろくろ１０は、中棒２に沿って上下いずれかの方向に移動可能となっており、上ろくろ６に近づく方向に上方移動させると傘１（傘布３）が開き、上ろくろ６から離れる方向に下方移動させると傘１（傘布３）が閉じるようになっている。
【００２４】
上述した親骨４は金属やグラスファイバーなどで形成された長尺棒状の部材である。また、下ろくろ１０に支持されている子骨９も、親骨４と同様な材質で形成されており、親骨４の長さの１／３〜１／２程度の寸法を備えたものとなっている。親骨４における中棒２に近い側の端部（一端側）は、上ろくろ６に対して上下方向に揺動自在に連結されている。また、親骨４における中棒２から遠い側の端部（以降、他端側という）には、傘布３を伝ってきた水を傘１外に落とす露先１１が設けられている。さらに、親骨４の長手方向の中途側には、子骨９の他端側を親骨４に連結するダボ３３が設けられている。さらに、子骨９の一端側は下ろくろ１０に対して上下方向に揺動自在に取り付けられており、子骨９の他端側は上述した親骨４のダボ３３に上下方向に揺動自在に連結されている。
【００２５】
上述した親骨４の上側には、撥水性を備えた合成繊維やシートで形成された傘布３が取り付けられており、傘内に雨水が浸入することを抑制している。
つまり、本考案の傘１では、上ろくろ６が上下方向に移動を規制された状態で中棒２に
固定されているのに対して、下ろくろ１０は上下方向に移動自在とされている。そのため、図２に二点鎖線で示すように、上ろくろ６から距離を取るように下ろくろ１０を下方に移動させると、下ろくろ１０に連結された子骨９の一端側も下方に移動し、子骨９が揺動して子骨９と中棒２とが略平行になる姿勢となる。そうすると、子骨９の揺動に連動して、上ろくろ６に対して親骨４が下方に揺動し、親骨４も中棒２と平行になるように揺動し、親骨４に取り付けられた傘布３を折り畳むことが可能となる。傘布３を開くときは、上ろくろ６に近づけるように下ろくろ１０を上方に移動させると、折り畳むときとは逆の手順で傘骨５が展開され、傘布３を開くことが可能となる。
【００２６】
ところで、上述したように、本考案の傘１は、傘布３、親骨４、上ろくろ６、下ろくろ１０、及び子骨９などの部材が、中棒２の軸心回りに回転自在となっていることを特徴としている。このような傘布３を中心とする部材の回転は、以下に示すような上ろくろ６の構造によるものである。
図３に示すように、上ろくろ６は、中棒２の上部に上下移動と回転とを規制された状態で固定されるベース筒体１２と、ベース筒体１２に外側から回転を許容した状態で嵌合（遊嵌）されると共に、外周側に親骨４の一端側が揺動自在に取り付けられた回転体１３と、を有している。
【００２７】
ベース筒体１２は、中央に中棒２を上下方向に挿通可能な挿通孔１４が形成された略円筒状の部材である。ベース筒体１２の上側の外周面には、中棒２側に向かって窪んだ環状凹部１５が形成されている。この環状凹部１５は、中棒２の軸心の回りを周回するように環状に形成されており、上述した回転体１３が回転可能に嵌合している。
また、図４（特に図４の左下の図を参照）に示すように、ベース筒体１２の上側の外周面には、周方向に２箇所に亘って（図例では１８０度の位相差をあけて）スリット１６が形成されている。このスリット１６は、上から下に向かってベース筒体１２の壁面を切り欠くように形成されており、スリット１６を設けた部分では切り欠かれた分だけベース筒体１２の上側が縮径するように変形可能となっている。つまり、上述したスリット１６を設ければ、ベース筒体１２を小径に縮めることが可能となり、回転体１３を環状凹部１５に嵌め入れやすくなる。
【００２８】
さらに、ベース筒体１２の下側の外周面には、外周側に向かって突出した突起部１７が形成されている。この突起部１７は、後述する折り畳まれた親骨４と係合して、傘布３の回転を規制する回転規制部１８を構成している。
回転体１３は、中央に環状凹部１５に嵌合可能な嵌合孔１９を備えた短尺円筒状（円環状）の部材である。回転体１３の外周面には、中棒２側（嵌合孔１９の中心側）に向かって凹んだ上周回溝２０が形成されている。この上周回溝２０は、回転体１３における上下方向の中途側の外周面を、中棒２の軸心回りに周回するように形成されており、溝内に親骨４の一端側を連結する親骨連結線材２１を回し掛けられるようになっている。
【００２９】
より詳しく説明すれば、親骨４の一端側には、上述した親骨連結線材２１を挿通可能な連結孔２２が形成されている。そして、親骨４の連結孔２２を挿通した状態で上述した親骨連結線材２１を上周回溝２０に沿って回転体１３の周囲に回し掛ければ、親骨４の一端側を親骨連結線材２１で上ろくろ６に固定することが可能となる。このとき、親骨４の一端側は親骨連結線材２１により枢支された状態となっているため、親骨４は他端側が上下方向に揺動することを許容した状態で回転体１３に連結される。
【００３０】
また、回転体１３の外周面には、中棒２側（内周側）に向かって窪むと共に、上下方向に伸びる親骨収容部２３が形成されている。この親骨収容部２３は、外側方と下方との２方向に向かって開放した凹部として形成されており、また中棒２の軸心回りに等間隔をあけて複数形成されている。これら複数の親骨収容部２３には、上下方向に沿った親骨４の揺動を許容した状態で親骨４の一端側を差し込んで連結可能となっている。
【００３１】
上述した上ろくろ６であれば、中棒２に対してベース筒体１２が回転規制されていても、回転体１３がベース筒体１２（中棒２の軸心）に対して回転するため、親骨４などの部材を回転体１３と一体に中棒２の軸心回りに回転させることが可能となる。
上述した上ろくろ６に中棒２に対して回転自在なものを採用すると、親骨４や子骨９な
どの傘骨５を介して上ろくろ６に連結された下ろくろ１０も中棒２の軸心回りに回転可能となる。しかし、従来の下ろくろでは、下ろくろの回転位相によっては中棒の下部に下ろくろを位置決めすることが困難となる場合があった。そこで、本考案の傘１では、中棒２に対して下ろくろ１０がどのような回転位相となっていても、下ろくろ１０を中棒２の下部に固定（位置決め）することが可能となるようにしている。
【００３２】
次に、本考案の特徴である下ろくろ１０及びはじき２４について詳しく説明する。
下ろくろ１０は、上下方向に長尺な略円筒状の部材である。下ろくろ１０の上側の外周面には、上ろくろ６と同様に中棒２側に向かって凹んだ下周回溝２５が形成されている。この下周回溝２５は、中棒２の軸心回りを周回するように周回しており、溝内を通って子骨連結線材２６を下ろくろ１０の外周面に回し掛けられるようになっている。
【００３３】
また、下ろくろ１０の外周面には、中棒２側（内周側）に向かって窪むと共に、上から下に向かって伸びる子骨収容部２７が形成されている。この子骨収容部２７は、親骨収容部２３と同様に外側方と上方との２方向に向かって開放した凹部として形成されており、中棒２の軸心回りに、等間隔をあけて複数形成されている。これら複数の子骨収容部２７には、上下方向に沿った子骨９の揺動を許容した状態で子骨９の一端側を差し込んで連結可能となっている。
【００３４】
さらに、下ろくろ１０の中央には、下ろくろ１０を上下方向に沿って貫通する貫通孔２８が形成されており、上下方向に移動を許容した状態で貫通孔２８に中棒２を挿通できるようになっている。
ところで、上述した貫通孔２８は、上から下に向って内径が段階的に小さくなるように形成されている。つまり、下ろくろ１０の上端から、上下方向の中間までの貫通孔２８は、最も大きな内径のストレート筒状に形成されている。また、下ろくろ１０の上下方向の中間から、下ろくろ１０の下端のやや上側までの貫通孔２８は、上端よりもやや小さな内径のストレート筒状に形成されている。これらの内径が異なるストレート筒状の部分は、水平方向に伸びるフランジ状の第１段差部２９で連結されている。
【００３５】
一方、貫通孔２８の最も下端は、最も小さな内径に形成されている。この最も小さな内径の貫通孔２８と、下端のやや上側の貫通孔２８とも、互いに内径が異なるストレート筒状に形成されている。そして、これらの内径が異なるストレート筒状の部分は、水平方向に伸びるフランジ状の第２段差部３０で連結されている。第２段差部３０で連結されている。
【００３６】
はじき２４は、下ろくろ１０を中棒２の下側の所定位置に上下方向に移動を規制した状態で固定（位置決めする）部材であり、金属などで上下方向に細長い板状に形成されている。上述したはじき２４の上部は、中棒２の内部に埋め込み固定されている。一方、はじき２４の下部は、中棒２に固定されておらず、下端の一部は中棒２の外側に突出しており、外側に突出した先端に押圧部３１が設けられている。つまり、上述したはじき２４は、中棒２に固定された上端側に対して、中棒２に固定されていない下端側が弾性変形可能となっており、押圧部３１を中棒２の中心側に向かって押し込むと、はじき２４自体が弾性変形して、下端側を中棒２の内部に押し入れることが可能となっている。
【００３７】
そして、はじき２４の上下方向の中途側には、内周側（中棒２に面する側）から下ろくろ１０に噛み合って、下ろくろ１０の上方移動を規制可能な爪３２が設けられている。
このはじき２４の爪３２は、上述したはじき２４の弾性変形により、中棒２の外周面から先端を突出させたり、引っ込ませたりできるようになっている。爪３２は、中棒２に外嵌した下ろくろ１０に噛み合って、下ろくろ１０の上方移動を規制可能となっている。具体的には、爪３２は、外周側の先端が外方に向かって尖った形状となっており、下辺は中棒２の軸心に対して直交する方向に伸びるように形成されている。それゆえ、はじき２４の爪３２の下辺を、水平方向に伸びる第２段差部３０に押し当てて係合させれば、下ろくろ１０の上方移動が規制され、下ろくろ１０を中棒２の所定位置に確実に固定することが可能となる。
【００３８】
また、上述した貫通孔２８の下端側に形成される第２段差部３０は、中棒２の周囲を囲むように全周に亘って形成されているため、回転位相によらずはじき２４の爪３２と係合
可能となっている。そのため、中棒２に対して下ろくろ１０をどのような回転位相で回転停止させても、はじき２４の爪３２が第２段差部３０に確実に係合し、中棒２の下部の所定位置に下ろくろ１０を固定可能となる。
【００３９】
ところで、上述した本考案の傘１は、上ろくろ６が中棒２の上部に位置する場合は、中棒２に対する上ろくろ６の回転が許容され、上ろくろ６が中棒２の下部に位置する場合は、中棒２に対する上ろくろ６の回転が規制される構成となっている。具体的には、上ろくろ６は、親骨４が中棒２に沿うように折り畳まれた場合に、折り畳まれた親骨４が中棒２の回りを回転しないように、折り畳まれた親骨４と係合する回転規制部１８を備えている。
【００４０】
この回転規制部１８は、本実施形態の場合、上述したベース筒体１２の下側の外周面に突出状に形成される突起部１７である。つまり、傘１を閉じた状態（閉傘１状態）では、中棒２と略並行となるように親骨４が折り畳まれる。このとき、親骨４は下方に向かって揺動し、中棒２に近接した状態となるため、折り畳まれた親骨４が上述した突起部１７に引っ掛かり（係合し）、中棒２に対して傘布３が回転することが抑制される。つまり、本考案の傘１では、突起部１７が、折り畳まれた親骨４と係合して傘布３の回転を抑制する回転規制部１８として機能する。
【００４１】
上述した本考案の傘１は、単に傘布３が中棒２の軸心回りを回転するだけでなく、傘１の開閉に伴って傘布３が回転規制状態と回転許容状態とに切り替わる構成となっている。そのため、上述した本考案の傘１では、開傘状態においては傘布３の回転により強風による傘骨５や傘布３の破損を抑制でき、閉傘１状態においては傘布３の回転が規制されるため、雨水が飛び散るなどの不具合が抑制される。
【００４２】
なお、今回開示された実施形態はすべての点で例示であって制限的なものではないと考えられるべきである。特に、今回開示された実施形態において、明示的に開示されていない事項、例えば、各種パラメータ、寸法、重量、体積などは、当業者が通常実施する範囲を逸脱するものではなく、通常の当業者であれば、容易に想定することが可能な値を採用している。
【符号の説明】
【００４３】
１  傘
２  中棒
３  傘布
４  親骨
５  傘骨
６  上ろくろ
７  石突き
８  取手
９  子骨
１０  下ろくろ
１１  露先
１２  ベース筒体
１３  回転体
１４  挿通孔
１５  環状凹部
１６  スリット
１７  突起部
１８  回転規制部
１９  嵌合孔
２０  上周回溝
２１  親骨連結線材
２２  連結孔
２３  親骨収容部
２４  はじき
２５  下周回溝
２６  子骨連結線材
２７  子骨収容部
２８  貫通孔
２９  第１段差部
３０  第２段差部
３１  押圧部
３２  爪
３３  ダボ
【図１】
0003229170.tif 000003
【図２】
0003229170.tif 000004
【図３】
0003229170.tif 000005
【図４】
0003229170.tif 000006
【図５】
0003229170.tif 000007